(57)【要約】【課題】ブロック時にスパイクされたボールが当たることで裂けやすくなる、薬指・小指の指股間を保護するバレーボール用手袋を提供する。【解決手段】手袋本体の薬指袋と小指袋の指袋間に、ボールが当たって指股部が裂けるのを防止するため、弾性率の大きい高強度の差渡片が張り渡される。これにより、バレーボール競技において、特に、ブロック時にスパイクされたボールが当たっても、薬指・小指の指股間を差渡片により、それ以上開かないように規制するので、怪我の予防になる。【選択図】  図１
2015023954.tif 000002
【特許請求の範囲】
【請求項１】
手袋本体の薬指袋と小指袋の指袋間に、ボールが当たって指股部が裂けるのを防止するため、弾性率の大きい高強度の差渡片が張り渡されたことを特徴とするバレーボール用手袋。
【請求項２】
差渡片には、指袋間を横方向に亘って弾性率の大きい糸を用いて補強縫いし、差渡片の伸び率を下げる、請求項１に記載バレーボール用手袋。
【請求項３】
差渡片は、天然皮革、合成皮革又は人工皮革製である請求項１又は２に記載のバレーボール用手袋。
【請求項４】
差渡片は、天然繊維および/または合成繊維からなる編地又は織地である請求項１又は２に記載のバレーボール用手袋。
【請求項５】
差渡片は手指を最大に開いた状態で、薬指袋と小指袋に跨って張り渡された、請求項１〜４のいずれかに記載のバレーボール用手袋。
【請求項６】
手袋本体が掌部、甲部および指部を有し、掌部および指部の掌側を構成する素材の裏面にクッション材が設けられた、請求項１〜５のいずれかに記載のバレーボール用手袋。
【請求項７】
手袋本体にリスト部が設けられ、リスト部の挿入口に設けられた切り込みを跨ぐように、基端部がリスト部に固定されたオーバーベルトと、オーバーベルトの内側に基端が固定され先端が自由端とされたインナーベルトと、前記オーバーベルトに対向して設けられたリスト部側の自在係止具と、オーバーベルトの内側に設けられ前記リスト部側の自在係止具に係脱自在に係止する第１の自在係止具と、インナーベルトの内側に設けられ前記リスト部側の自在係止具に係脱自在に係止する第２の自在係止具とを備えた、請求項１〜６のいずれかに記載のバレーボール用手袋。
【発明の詳細な説明】
【技術分野】
【０００１】
本発明は、スポーツ用手袋のうち、特に、ブロック時にスパイクされたボールが当たることで裂けやすくなる、薬指・小指の指股を保護するのに適したバレーボール用手袋に関するものである。
【背景技術】
【０００２】
バレーボール競技では、スパイクされたボールを阻止し、相手方コートに入れるブロックが有効な防御手段となる。相手からスパイクを打ち込まれたときに、ネット前で手を伸ばして、親指から小指までしっかりと拡げ、全ての指の先までしっかりと力を入れる。
【０００３】
このとき、ボールの勢いにより指先が拡げられ、手掌が反り返って、指股が裂けることがよく起こる。特に、薬指と小指の指股部分は裂けやすい。スパイカーはブロックアウトを誘うために、ブロッカーの手掌の小指側にスパイクする傾向がある。
ブロッカーの手掌の小指側にスパイクされると、薬指と小指の指股部分が裂ける可能性がある。
【０００４】
バレーボール用手袋として、ブロックのときに、手掌にボールが当たって指股部が裂けるのを防止するため、従来は、薬指と小指とを同時にテーピングして、小指が拡開方向に裂けないようにしている。
【０００５】
なお、特許文献１には、手指を挿入し突出させる筒状の各指袋部と、各指袋部を拡開した状態で保持するために各指袋部間に亘り連設した水掻き部と、第１指と第５指に亘り連設した紐部とを、手指をモミジの葉形状に拡開保持し、かつ反らせることができる硬度と弾性を有する薄手の素材で一体成形した手指拡開用具が開示されている。
【０００６】
また、特許文献２には、手袋本体の５つの指挿入部のうち、少なくとも中指と薬指と小指に相応する３つの指挿入部に跨って隣り合う指挿入部の間隔を調整することができるようにして、これらの３つの指挿入部の甲側に配置されてこれらの指挿入部にそれぞれ保持された１つの引っ掛け用索条を備え、手袋を嵌めていない親指と人差し指で手袋の親指及び人差し指に相応する指挿入部をつまむことによって、すべての指から手袋のすべての指挿入部を同時に引き外すことができる手袋が開示されている。
【先行技術文献】
【特許文献】
【０００７】
【特許文献１】登録実用新案第３０１５６１９号公報
【特許文献２】再公表特許ＷＯ２０１０/０２９６１４号
【発明の概要】
【発明が解決しようとする課題】
【０００８】
しかし、特許文献１は緩やかに挿入した手指を拡開させると共に、反らせた状態を保持できる硬度と弾性を有する薄手の合成樹脂材を使用しているが、バレーボール用手袋として使用した場合、バレーボールが手掌に当たったとき、薬指袋と小指袋との間が裂けないような弾性を有するか否かは不明である。
【０００９】
また、特許文献２は、１つの引っ掛け用索条により隣り合う指挿入部の間隔を調整する技術であって、ボールが手掌に当たったとき、薬指袋と小指袋との指股間を裂けないようにする技術ではない。
【００１０】
本発明は、ブロック時にスパイクされたボールが当たることで裂けやすくなる、薬指・小指の指股間を保護するバレーボール用手袋の提供を目的としている。
【課題を解決するための手段】
【００１１】
上記目的を達成するため、本発明に係るバレーボール用手袋は、手袋本体の薬指袋と小指袋の指袋間に、ボールが当たって指股部が裂けるのを防止するため、弾性率の大きい高強度の差渡片が張り渡されたことを特徴とする。
【００１２】
バレーボール競技において、特に、ブロック時にスパイクされたボールが当たることで裂けやすくなる、薬指・小指の指股間を差渡片により、それ以上開かないように規制するので、怪我の予防になる。
【００１３】
差渡片は、弾性率が大きく高い抗張力を有するため、小指と薬指とを開いた状態で、それ以上、拡開するのを防止できる。また、差渡片は手指を最大に開いた状態で、薬指袋と小指袋に跨って張り渡され、それ以上、拡大方向に伸びないように設計するのが望ましい。
【００１４】
差渡片の、指袋間を拡縮する方向での差渡片の伸び率を下げる手段として、差渡片の指袋間を横方向（指袋間を拡縮する方向）に弾性率の大きい糸を用いて縫う手法、さらには、この縫い方を指袋の縦方向に複数段に亘って行うこともできる。これらにより、伸び率の低い差渡片を提供する。
【００１５】
差渡片の素材としては、特に限定されるものではなく、手袋本体の主要な素材と同じように、天然皮革、合成皮革又は人工皮革を用いることができる。また、差渡片は、弾性率の大きい高強度である限り、天然繊維および/または合成繊維からなる編地又は織地を用いても良い。
【００１６】
また、手袋本体が掌部、甲部および指部を有し、掌部および指部の掌側を構成する素材の裏面にクッション材が設けられた構成とし、スパイクされたバレーボールからの衝撃を吸収できるようにすることができる。
【００１７】
さらに、手袋本体にリスト部が設けられ、リスト部の挿入口に設けられた切り込みを跨ぐように、基端部がリスト部に固定されたオーバーベルトと、オーバーベルトの内側に基端が固定され先端が自由端とされたインナーベルトと、前記オーバーベルトに対向して設けられたリスト部側の自在係止具と、オーバーベルトの内側に設けられ前記リスト部側の自在係止具に係脱自在に係止する第１の自在係止具と、インナーベルトの内側に設けられ前記リスト部側の自在係止具に係脱自在に係止する第２の自在係止具とを備えた構成を採用することができる。
【００１８】
上記構成においては、インナーベルトおよびオーバーベルトを、手袋本体の切り込みを跨ぐようにリスト部の自在係止具に係止する。そうすると、オーバーベルトをインナーベルトの外側を被せながらリスト部の自在係止具に係止することになり、リスト部のベルトが二重構造をなってその部分が強化されることから、激しい手首関節のポジション変化を要する運動にも、リスト部のベルトが外れることなく対応することができる。
【発明の効果】
【００１９】
以上のように、本発明によると、手袋本体の薬指袋と小指袋の指袋間に、ボールが当たって指股部が裂けるのを防止するため、弾性率の大きい高強度の差渡片が張り渡されているので、ボールが当たって薬指と小指の指股間が裂けるのを防止することができる。
【図面の簡単な説明】
【００２０】
【図１】本発明の第１の実施形態であるバレーボール用手袋の手掌側からみた斜視図である。
【図２】図１のＸ−Ｘ断面図である。
【図３】同じくバレーボール用手袋を甲側からみた斜視図である。
【図４】同じくリスト部のインナーベルトをリスト部の自在係止具に係止した状態を維持しつつオーバーベルトを外した状態を甲側からみた斜視図である。
【図５】同じくリスト部のオーバーベルトおよびインナーベルトを共にリスト部の自在係止具から取り外した状態を甲側からみた斜視図である。
【図６】図３のＹ−Ｙ断面図である。
【図７】本発明の第２の実施形態を示すバレーボール用手袋を手掌側からみた斜視図である。
【発明を実施するための形態】
【００２１】
＜第１の実施形態＞
図１〜図６は本発明の第１の実施形態であるバレーボール用手袋を示す。図１〜６に示すように、本実施形態の手袋１は、掌部２、甲部３、指部４、リスト部５、およびリスト部の係着手段６とから構成される。手袋１の成形は、掌部２および掌側指部が一体となった掌側の裁断片７と、甲部３および甲側指部が一体となった甲側の裁断片８とが縫い合わされて形成される。
【００２２】
手袋本体は、掌部２、甲部３および指部４を有している。ここで、指部４においては、図３に示すように、掌側と甲側の裁断片７，８の間に伸縮性連結片９が介在されて縫い合わされ、指袋１０〜１４が形成される。
【００２３】
連結片９は、伸縮性を有するものに限らず、各種素材を使用することができる。また、連結片９を介在させずに掌側および甲側の裁断片７，８をそのまま縫い合わせて指袋を形成してもよい。
【００２４】
指袋１０〜１４のうち親指袋１０は、上記裁断片７，８とは別体で裁断されたものを縫い合わせて一体化し、これを掌部２および甲部３に縫製するようにしてもよい。また、本例のように、掌側および甲側の裁断片７，８に親指部分も含むようにし、これらを縫い合わせて親指袋を形成するようにしてもよい。
【００２５】
また、掌部２および指部４の掌側を構成する裁断片７の裏面にはクッション材１５が設けられ、スパイクされたバレーボールからの衝撃を吸収できるようになっている。クッション材１５の素材は、発泡性の樹脂材など、周知のクッション材を使用し、これを裁断片７の裏面に張り合わせるようにすればよい。
【００２６】
ここで、裁断片７，８の素材は、天然皮革、合成皮革又は人工皮革を用い、あるいは、天然繊維および/または合成繊維からなる編地又は織地を用いてもよい。
【００２７】
そして、本実施形態では、手袋本体の薬指袋１３と小指袋１４の指袋間に、バレーボール等のボールが当たって両指袋間の指股部が裂けるのを防止するため、弾性率の大きい高強度の差渡片１６が張り渡されていることが特徴になっている。
【００２８】
この差渡片１６は、弾性率の大きい高強度の性能を発揮するため、さらには、指股部が裂けない程度の範囲で薬指袋１３と小指袋１４の指袋間を拡縮できようにするため、素材として、手袋本体の素材と同様な素材である、天然皮革、合成皮革又は人工皮革を用い、あるいは、天然繊維および/または合成繊維からなる編地又は織地を用いてもよい。当然、弾性率の大きい高強度の性能を発揮するためには、その性能を発揮できる厚み、大きさが必要になってくる。
【００２９】
本実施形態では、帯状の差渡片１６を薬指袋１３と小指袋１４の第１関節と第２関節との間の部位に差し渡し、両端を夫々の指袋１３，１４の縫い合わせ部に合わせ縫いし、縫い付け強度を高めている。
【００３０】
さらに、差渡片１６の強度を高めるため、薬指袋１３と小指袋１４の間を横方向に弾性率の大きい糸を用いて空縫いしてステッチを形成し、差渡片１６の伸び率を下げる手法も採用することができる。さらにまた、これらの空縫いしたステッチ（縫い目）を上下方向（指袋の長さ方向）で複数段に亘って設け、差渡片１６の伸び率をさらに下げる手法も採用できる。
【００３１】
なお、差渡片１６の横方向の長さは手指を最大に開いた状態で、薬指袋１３と小指袋１４に跨って張り渡される（それ以上伸びない）長さに設定すればよい。
【００３２】
また、手袋本体は、手首を覆う長さに形成され、その挿入口の周縁にリスト部５が形成されている。リスト部５の甲側には、親指および人差し指の間に親指の根元付近まで切り込み１７が形成され、手を手袋内に挿入しやすくしている。手を手袋内に挿入しやすくするため、リスト部５の切り込み１７を除く部分は伸縮性バンド１８が設けられる。伸縮性バンド１８は手袋本体の甲側および掌側の裁断片７，８に縫製され、手袋本体の挿入口を周回するようになっている。
【００３３】
切り込み１７の掌側には、切り込み１７を跨ぐように、基端部が切り込み１７の端縁に固定されたオーバーベルト１９が設けられている。さらに、オーバーベルト１９の内側に基端が固定され先端が自由端とされたインナーベルト２０が設けられる。
【００３４】
オーバーベルト１９に対向するリスト部５には自在係止具２１が設けられる。このリスト部の自在係止具２１は、例えば、多数の鉤状フックが基材の表面に立設されてなる雌側面ファスナが設けられる。
【００３５】
オーバーベルト１９の内側にはリスト部側の自在係止具２１である雌側の面ファスナに係脱自在に係止する第１の自在係止具２２が設けられる。また、インナーベルト２０の内側には同じく雌側の面ファスナである自在係止具２１に係脱自在に係止する第２の自在係止具２３が設けられる。
【００３６】
第１の自在係止具２２は、例えば、多数のループが基材の表面に立設された雄側の面ファスナである。第２の自在係止具２３は、例えば、密度の濃いループが多数立設された雄側の面ファスナである。これらの自在係止具２１〜２３の形態は、上記にしたものに限らず、種々の形態のものを採用することができる。
【００３７】
そして、リスト部を締付けるこれらの自在係止具２１〜２３により前記係着手段６が構成される。本例の係着手段６は、リスト部の甲側にある自在係止具２１に、オーバーベルト１９側の第１の自在係止具２２およびインナーベルト１８側の第２の自在係止具２３の両者を係止する二重の係止構造となっているので、リスト部において強固な締付け係止状態が得られる。
【００３８】
上記構成の手袋をバレーボール練習時に使用すると、手袋本体の掌側の素材の裏面にクッション材１５が張合わされているので、ボールの打球時やブロック時にボールから手掌側に加わる衝撃を吸収することができる。
【００３９】
また、手袋本体の薬指袋１３と小指袋１４の指袋間に、弾性率の大きい高強度の差渡片１６が張り渡されているので、バレーボールが当たって小指側を拡開する方向に力が加わっても差渡片１６により、両指袋間の指股部をそれ以上開かないように規制するので、怪我の予防になる。
【００４０】
このとき、差渡片１６は、あえて弾性率の大きいものを採用するので、衝撃により指股間を拡開する方向に引張力が作用しても、差渡片１６の伸びが押えられているので、指股間の拡大が抑制される。しかも、差渡片１６は高強度のものを採用しているので、繰り返しの衝撃に対しても差渡片１６自体の破断等を防止して耐久性を向上することができる。
【００４１】
さらに、本実施形態では、リスト部５の係着手段６として、オーバーベルト１９とインナーベルト２０の二重のベルトとその内面側の自在係止具２２，２３とにより、二重のベルト係止構造を採用しているので、激しい手首関節のポジション変化を要するバレーボール等の運動にも、リスト部５のベルトが外れることなく対応することができる。
【００４２】
＜第２の実施形態＞
図７は本発明の第２の実施形態を示すバレーボール用手袋を甲側からみた斜視図である。図に示すように、本実施形態では、差渡片１６が薬指袋１３と小指袋１４の指袋間の根元から小指の第１関節当たりまでに至る逆三角形状に形成され、薬指袋１３及び小指袋１の側面部に縫い合わされた形態となっている。その他の構成は第１の実施形態と同様である。
【００４３】
上記構成においては、第１の実施形態に比べて、差渡片２５の指袋に対する縫い付け部位が格段に大きいので、強度の高く耐久性も向上する。
【００４４】
なお、本発明は、上記実施形態に限定されるものではなく、本発明の範囲内で多くの修正・変更を加えることができるのは勿論である。例えば、上記実施形態の差渡片として、帯状のものと逆三角形状のものを例示したが、これに限らず、紐状のもの、さらにはネット状のものであってもよいことは勿論である。
【符号の説明】
【００４５】
１    手袋
２    掌部
３    甲部
４    指部
５    リスト部
６    係着手段
７    掌側の裁断片
８    甲部側の裁断片
９    連結片
１０    親指袋
１１    人指袋
１２    中指袋
１３    薬指袋
１４    小指袋
１５    クッション材
１６    差渡片
１７    切り込み
１８    伸縮性バンド
１９    オーバーベルト
２０    インナーベルト
２１    自在係止具
２２    第１の自在係止具
２３    第２の自在係止具
【図１】
2015023954.tif 000003
【図２】
2015023954.tif 000004
【図３】
2015023954.tif 000005
【図４】
2015023954.tif 000006
【図５】
2015023954.tif 000007
【図６】
2015023954.tif 000008
【図７】
2015023954.tif 000009